(57)【要約】      （修正有）【課題】２次元コードを利用して、遊技者に詳細な遊技機情報を提供すると共に、遊技機メーカーによる遊技者への直接広告を容易にし，また、遊技機メーカー及び遊技店に対し、詳細なアクセス情報を提供する。【解決手段】情報提供サービス側のサーバーに、遊技機メーカーの各遊技機ごとの情報ならびに、各遊技場店の遊技場店情報を登録しておき、各遊技場店からのインターネットを介しての遊技機情報の請求に対して、遊技場店側の地域情報、店舗情報、ならびに、遊技機メーカー側の遊技機情報を含んだ２次元コードを自動発給し、遊技場店が配布する折込広告に前述２次元コードを遊技機名と同時に掲載する。【選択図】図−１
2006099151.tif 000002
【特許請求の範囲】
【請求項１】
遊技場店が配布する折込広告において、遊技場店側の地域情報、店舖情報、ならびに、遊技機メーカー側の遊技機情報を含んだ２次元コードを、前述折込広告に掲載した遊技機名と同時に印刷させておくことにより、遊技場店側には折込広告の広告効果、各遊技機ごとのアクセス状況を、また遊技機メーカー側には各遊技機ごとのアクセス情報、各地域ごとのアクセス情報を提供することを特徴とする情報提供サービス。
【請求項２】
上記情報提供サービスにおいて、情報提供サービス側のサーバーには、遊技機メーカーの各遊技機ごとの情報ならびに、各遊技店の遊技店情報を登録しておき、各遊技店からのインターネットを介しての遊技機情報の請求に対して、前述情報を含む２次元コードを自動発給する情報提供システム。
【発明の詳細な説明】
【技術分野】
【０００１】  本発明は、パチンコ遊技機やパチスロ遊技機（以降遊技機と称する）の遊技者と、遊技場店、遊技機メーカーに、遊技機に関する情報を提供するサービスに関するものである。
【背景技術】
【０００２】  近年の遊技機は、昔のように単に球を穴に入れるだけの遊技ではなく、いわゆるテレビゲーム機に似て、そのルールが複雑化してきている。さらに、その上、新種の遊技機が次々と登場している現状がある。
このような現状から、遊技機の遊技者は次々と登場する新種の遊技機のルールを習得するために、遊技者自身で情報雑誌を購入したり、遊技機メーカー等のホームページにアクセスしたり、遊技場店が新聞に入れて配布するいわゆる折込広告等を読むことにより情報を得ていた。【０００３】  しかし、従来のこのような方法では、下記のような問題点があった。
すなわち、遊技者自身が遊技機の情報雑誌を購入して、新種の遊技機の情報を得る方法では、遊技者自身が書店等で情報誌を購入しなければならず、遊技者層の拡大という面で問題があった。また、印刷物による情報誌であるために月に１度か２度の発行となり、情報の即時性という面で問題があった。さらに、このような情報誌は大量に印刷する関係上、新種の遊技機の情報を記載するだけで、各地域の各々の遊技場店の詳細情報等は記載することができない。すなわち、遊技者にとって、当該新種の遊技機がいつから、どこの遊技場店で導入され、利用できるかという詳細情報が得られないという問題点があった。
他方、遊技者が直接遊技機メーカー等のホームページにアクセスする方法は、遊技者自身がＵＲＬを入力しなければならない煩わしさがあった。また、情報の即時性という面では問題がないのだが、遊技機の情報雑誌と同様に、各地域の各々の遊技場店の詳細情報等は得ることが出来ないという問題点はそのまま残っていた。
そこで、大部分の遊技場店は新聞の折込広告にて、自店で、いつ、どのような新種の遊技機を導入するのか、またその遊技機のルール等を遊技者に宣伝しているが現状である。ところが、限られた紙面の折込広告では詳細の情報を伝えることが出来ず、また、その内容や意図するところが遊技場店の紙面作成能力によるところが大なので、往々にして、遊技機メーカーの意図するところが遊技者に伝わりにくいとの問題点があった。
一方、遊技機メーカー側にしてみれば、上記いずれの方法にしても、投入した新種の遊技機の地域別の人気や好み等の商品情報が得にくいという問題点があった。
【発明の開示】
【発明が解決しようとする課題】
【０００４】  本発明の課題は、遊技場店の折込広告で、掲載しきれない遊技機の最新かつ詳細な情報を、遊技者の手を煩わせる事なく情報提供すると共に、その折込広告の広告効果及び、地域・機種ごとの詳細なアクセス情報を効率的に収集し、遊技場店及び遊技機メーカーに提供すること課題とする。
【課題を解決するための手段】
【０００５】  上記の課題を解決するための請求項１の発明は、遊技場店が配布する折込広告において、遊技場店側の地域情報、店舗情報、ならびに、遊技機メーカー側の遊技機情報を含んだ２次元コードを、前述折込広告に掲載した遊技機名と同時に印刷させておくことを特徴としている。【０００６】  また、請求項２の発明は、情報提供サービス側のサーバーに、遊技機メーカーの各遊技機ごとの情報ならびに、各遊技店の遊技店情報を登録しておき、各遊技店からのインターネットを介しての遊技機情報の請求に対して、前述情報を含む２次元コードを自動発給することを特徴としている。
【発明の効果】
【０００７】  本発明によれば、遊技者は、折込広告に遊技機名とともに記載された２次元コードを、携帯電話の２次元コード読取装置を使って情報提供サーバーにアクセスするだけで、当該遊技機の最新かつ詳細な情報を容易にうることができるようになった。
また、折込広告を出す遊技場店に対し、遊技場店側の地域情報、店舗情報、ならびに、遊技機メーカー側の遊技機情報が含まれた２次元コードが、インターネットを介して自動発給されるので、迅速かつ効率的に提供できるようになった。
また、遊技場店側には折込広告の広告効果、各遊技機ごとのアクセス状況を、遊技機メーカー側には各遊技機ごとのアクセス情報、各地域ごとのアクセス情報などのマーケティング情報を、迅速にかつ正確に提供できるようになった。
【発明を実施するための最良の形態】
【０００８】  以下、最良の実施形態を挙げて、本発明について詳細に説明する。
【実施例】
【０００９】  図１は本発明を適用した、２次元コードを利用した、遊技機情報の提供サービスシステムの実施形態の一例を示す図である。
以下図１に基づき説明する。まず、手順１として、折込広告を出そうとする遊技場店Ａは情報提供サーバーＢに、その遊技場店情報を登録する。この情報は遊技場店の地域情報や遊技機の設置台数等の基本詳細情報である。
また、遊技機メーカーＣは情報提供サーバーＢに、各遊技機の詳細な情報を登録する。この情報は、遊技場店が印刷する折込広告に掲載することが難しい詳細な情報及び、遊技機メーカーＣが意図する宣伝情報である。【００１０】  次に、手順２として、情報提供サーバーＢは、遊技場店Ａが当サーバーに遊技場店情報を登録すると、その遊技場店固有のアクセスコードを遊技場店Ａに付与する。【００１１】  手順３として、遊技場店Ａは、新たな遊技機を設置する時に、インターネットを介してその遊技場店に付与されたアクセスコードを用いて、情報提供サーバーＢにその設置する遊技機情報を請求する。【００１２】  手順４として、情報提供サーバーＢは、遊技場店Ａの遊技機情報の請求に対して、その遊技場店Ａの事前登録情報と今回請求時の都度情報（新装開店日等の時間情報等）と遊技機メーカーＣが事前登録した遊技機の詳細情報の両方の情報を持つ、その遊技機固有の２次元コードＤを、インターネットを介して遊技場店Ａに自動発給する。【００１３】  手順５として、遊技場店Ａは、その自動発給された遊技機固有の２次元コードＤを遊技場店Ａが印刷する折込広告Ｅに遊技機の名前と共に印刷する。【００１４】  手順６、７として、遊技者Ｆは、遊技場店Ａの折込広告Ｅに印刷されている２次元コードＤを、２次元コード読取機能を有する携帯電話Ｇを用いてその２次元コードＤを読取り、インターネットを介して情報提供サーバーＢにアクセスする。【００１５】  手順８として、遊技者Ｆは、アクセスした情報提供サーバーＢから、その遊技場店Ａの設置する遊技機の詳細な情報を取得する。【００１６】  手順９として、情報提供サーバーＢは、遊技場店Ａ及び遊技機メーカーＣの請求に対して、情報提供サーバーＢに蓄積されている、遊技場店及び遊技機の個別情報ごとのアクセス集計データを提供する。これにより遊技場店Ａは折込広告の広告効果、各遊技機ごとのアクセス状況を、遊技機メーカーＣには各遊技機ごとのアクセス情報、各地域ごとのアクセス情報などのマーケティング情報を、迅速にかつ正確に提供することが出来る。
【図面の簡単な説明】
【００１７】
【図１】本発明を適用した、遊技機情報の提供サービスシステムの実施形態の一例
【符号の説明】
【００１８】Ａ      ：遊技場店
Ｂ      ：情報提供サーバー
Ｃ      ：遊技機メーカー
Ｄ      ：２次元コード
Ｅ      ：折込広告
Ｆ      ：遊技者
Ｇ      ：２次元コード読取機能を有する携帯電話
手順１  ：遊技場店情報、遊技機情報の登録
手順２  ：アクセスコードの付与
手順３  ：遊技機情報の請求。
手順４  ：２次元コードの自動発給。
手順５  ：２次元コードを印刷した折込広告を配布。
手順６  ：遊技者が携帯電話で、２次元コードを読取る。
手順７  ：携帯電話で、遊技機情報提供サーバーへアクセスする。
手順８  ：遊技機の詳細情報の取得。
手順９  ：アクセス集計データの提供。
【図−１】
2006099151.tif 000003